(57)【特許請求の範囲】
【請求項１】
高速道路や有料道路又は鉄道施設若しくは各種プラント等の動物忌避施設内に各種動物が侵入することを防止するための構造であって、
当該施設の内と外の境界を成す侵入防止柵と交差する排水溝の部分に配置される動物侵入防止枡(10)から成り、
この枡(10)は上流側で施設内排水溝(40)と接続する流入口部(11)と下流側で施設外排水溝(42)に接続する排出口部(12)を有し、
この枡(10)の排水流路内で、施設内排水溝(40)の底面と施設外排水溝(42)の底面との間に段差を設けたことを特徴とする動物侵入防止構造。
【請求項２】
高速道路や有料道路又は鉄道施設若しくは各種プラント等の動物忌避施設内に各種動物が侵入することを防止するための構造であって、
当該施設の内と外の境界を成す侵入防止柵と交差する排水溝の部分に配置される動物侵入防止枡(20)から成り、
この枡(20)は上流側の排水を導入する流入口部(11)と下流側の排水を排出する排出口部(12)を有し、
この枡(20)の底面を施設内外の排水溝(40, 42)の底面よりも低いものとし、前記侵入防止枡(20)の底面と施設内外の排水溝(40, 42)の底面との高さの相違を大きくして段差を形成し、この枡(20)内に侵入した動物がこの段差を乗り越えることができないようにしたことを特徴とする動物侵入防止構造。
【請求項３】
高速道路や有料道路又は鉄道施設若しくは各種プラント等の動物忌避施設内に各種動物が侵入することを防止するための構造であって、
当該施設の内と外の境界を成す侵入防止柵と交差する排水溝の部分に配置される動物侵入防止枡(30)から成り、
この枡(30)は上流側の排水を導入する流入口部(11)と下流側の排水を排出する排出口部(12)を有し、
この枡(30)の排水流路内で、施設内排水溝(40)の底面と施設外排水溝(42)の底面との間に段差を設け、且つ、この枡(30)の前記流入口部(11)と前記排出口部(12)の間にグレーチング(34)等の溝蓋を設けたことを特徴とする動物侵入防止構造。
【請求項４】
前記溝蓋が施設内又は施設外の排水溝(40, 42)の何れか一方の底面と略同一高さ位置に配設されたことを特徴とする請求項３に記載の動物侵入防止構造。
【請求項５】
前記動物侵入防止枡(10, 20, 30)が侵入防止柵の下方位置に設置された場合に、前記侵入防止柵の下方部及び施設の外側に位置する前記動物侵入防止枡(10, 20, 30)の上方部を閉鎖状態としたことを特徴とする請求項１乃至４の何れか１項に記載の動物侵入防止構造。
【請求項６】
高速道路や有料道路又は鉄道施設若しくは各種プラント等の動物忌避施設内に各種動物が侵入することを防止するための方法であって、
当該施設の内と外の境界を成す侵入防止柵と交差する排水溝において、
前記侵入防止柵の近傍の排水溝底面の適宜位置に所定高さの段差を設け、
この段差を各種動物が乗り越えることができないようにしたことを特徴とする動物侵入防止方法。
【発明の詳細な説明】
【技術分野】
【０００１】
本発明は、高速道路や有料道路等の道路施設内等に排水設備を介して各種動物が侵入することを防止するための構造及び方法に関するものである。
【背景技術】
【０００２】
高速道路や有料道路等の道路施設内に各種の動物が侵入すると車との衝突事故が発生し、或いは、これらの動物の侵入による運転者の運転ミスをも誘発し、重大な事故を発生させる恐れがある。
このような動物侵入による事故を未然に防止するために、各種の動物侵入防止用フェンスや排水溝からの動物の侵入を防止する各種の手段が提案されている。
【０００３】
上記従来例として下記特許文献に記載のものを挙げることができる。
特許文献１に記載の「小動物侵入防止機能付き縦排水溝構造」は、小動物が高速道路ののり面にある縦排水溝を伝って道路内に侵入することを防止するためのもので、高速道路とそれよりも低い位置にある一般道路との間にあるのり面に形成した傾斜縦排水溝と、この縦排水溝に設置する溝蓋との組み合わせからなる。
【０００４】
前記溝蓋の裏面に縦排水溝の長手方向で、かつ下側に向けてのみ回動可能な遮蔽用スクリーンが垂設され、この遮蔽用スクリーンは、回転軸に複数本の板状部材がスダレ状に配設され、板状部材の長さを縦排水溝の深さよりも長くすることにより、遮蔽用スクリーンが上側に向けて回動できないよう規制したものである。
【０００５】
特許文献２に記載の「防獣用フェンスのフェンス体」は、フェンスが側溝を跨いで設置された場合であっても、側溝からフェンスの下を通り抜けることを不可能にするものであって、防獣用フェンスにおける側溝を跨いだフェンス体の下部に、道路や線路の本線側には開動作しないが反対側（民地側）には開動作をするトラップ体を設けたものである。
【０００６】
特許文献３に記載の「排水溝等に用いるＵ字溝に装着する防獣装置」は、Ｕ字溝に下流側には揺動するが、上流側には揺動しない防獣板を備えたものである。
特許文献４に記載の「小動物侵入防止装置」は、小動物が立入防止柵外から排水溝を通じて柵内に侵入することを防止し、且つ排水溝を詰まらせることのないものである。
【０００７】
この考案も、上記の発明と同様に、下端部が排水溝の下流側に向けて湾曲した形状を有する侵入防止板を設けたものであって、この侵入防止板を排水溝内に垂下した状態では下端部が排水溝の底部に接地して排水溝の下流方向には回動するが、上流方向には回動しないように構成したものである。
【先行技術文献】
【特許文献】
【０００８】
【特許文献１】特開２０１１−８４９７３号公報
【特許文献２】特開２００５−１７５号公報
【特許文献３】特開２００３−２１９７８７号公報
【特許文献４】実用登録第３１７２８７７号公報
【発明の概要】
【発明が解決しようとする課題】
【０００９】
上記の従来技術においては、動物侵入防止用フェンスと交差する排水溝からの各種動物の侵入を防止するために、侵入防止用部材を設け、この部材が下流側には回動するが上流側には回動しないことにより実現したものである。
しかし、この種の回動式侵入防止用部材を設けると、その一部のものを除き、枯葉やゴミ等が当該侵入防止用部材に引っ掛かって詰まってしまうという問題が生じるのである。
【００１０】
そこで、本願発明においては、上記従来のような回動式の侵入防止用部材とは全く異なる手段により、各種動物が排水溝から侵入できないような構造を創案することをその課題としている。
また、排水溝は、高速道路や有料道路の道路施設の設置態様により異なる形態で配設されている。
即ち、道路施設が盛土部上に設けられている場合、道路施設と施設外とが平地である場合、或いは道路施設と施設外の境界が切土部（傾斜面上）にある場合など、各種の態様があり、本発明においては、これらの排水溝の全ての設置態様に応じて動物侵入防止構造を提供することをその課題とする。
尚、本願発明に係る動物侵入防止構造及び方法は、道路施設の他、鉄道施設、各種工場やプラント施設、更には自衛隊施設等々、その他の動物忌避施設内への動物の侵入の防止にもそのまま適用することができるものである。
【課題を解決するための手段】
【００１１】
上記課題を解決するために、本発明の第1のものは、高速道路や有料道路又は鉄道施設若しくは各種プラント等の動物忌避施設内に各種動物が侵入することを防止するための構造であって、当該施設の内と外の境界を成す侵入防止柵と交差する排水溝の部分に配置される動物侵入防止枡から成り、この枡は上流側で施設内排水溝と接続する流入口部と下流側で施設外排水溝に接続する排出口部を有し、この枡の排水流路内で、施設内排水溝の底面と施設外排水溝の底面との間に段差を設けたことを特徴とする動物侵入防止構造である。
ここで、上記「動物侵入防止枡」における「枡」というのは、排水が流入する流入口部と、排水が排出する排出口部を有する枡形状の立体的構造体を意味し、その上端部は、開口されていても、閉鎖されていても何れでもよく、その両者を含む意味のものである（以下同じである。）。
【００１２】
本発明の第２のものは、高速道路や有料道路又は鉄道施設若しくは各種プラント等の動物忌避施設内に各種動物が侵入することを防止するための構造であって、当該施設の内と外の境界を成す侵入防止柵と交差する排水溝の部分に配置される動物侵入防止枡から成り、この枡は上流側の排水を導入する流入口部と下流側の排水を排出する排出口部を有し、この枡の底面を施設内外の排水溝の底面よりも低いものとし、前記侵入防止枡の底面と施設内外の排水溝の底面との高さの相違を大きくして段差を形成し、この枡内に侵入した動物がこの段差を乗り越えることができないようにしたことを特徴とする動物侵入防止構造である。
【００１３】
本発明の第３のものは、高速道路や有料道路又は鉄道施設若しくは各種プラント等の動物忌避施設内に各種動物が侵入することを防止するための構造であって、当該施設の内と外の境界を成す侵入防止柵と交差する排水溝の部分に配置される動物侵入防止枡から成り、この枡は上流側の排水を導入する流入口部と下流側の排水を排出する排出口部を有し、この枡の排水流路内で、施設内排水溝の底面と施設外排水溝(42)の底面との間に段差を設け、且つ、この枡の前記流入口部と前記排出口部の間にグレーチング等の溝蓋を設けたことを特徴とする動物侵入防止構造である。
【００１４】
本発明の第４のものは、上記第３の発明において、前記溝蓋が施設内又は施設外の排水溝の何れか一方の底面と略同一高さ位置に配設されたことを特徴とする動物侵入防止構造である。
【００１５】
本発明の第５のものは、上記第１乃至第４の何れかの発明において、前記動物侵入防止枡が侵入防止柵の下方位置に設置された場合に、前記侵入防止柵の下方部及び施設の外側に位置する前記動物侵入防止枡の上方部を閉鎖状態としたことを特徴とする動物侵入防止構造である。
【００１６】
本発明の第６のものは、高速道路や有料道路又は鉄道施設若しくは各種プラント等の動物忌避施設内に各種動物が侵入することを防止するための方法であって、当該施設の内と外の境界を成す侵入防止柵と交差する排水溝において、前記侵入防止柵の近傍の排水溝底面の適宜位置に所定高さの段差を設け、この段差を各種動物が乗り越えることができないようにしたことを特徴とする動物侵入防止方法である。
【００１７】
尚、上記の通り、本願発明に係る動物侵入防止構造及び方法は、道路施設ばかりでなく、その他の動物忌避施設内への動物の侵入の防止にもそのまま適用することができるものであるが、以下、説明の便宜上、道路施設を対象に説明する。
【発明の効果】
【００１８】
本発明の第１のものにおいては、道路が盛土部の上方に設置された場合であって、道路施設と施設外との境界部が盛土部の傾斜部と施設外の平地部との境界部に位置する場合を想定したものである。
即ち、道路施設の内と外の境界を成す侵入防止柵と交差する排水溝の部分に配置される動物侵入防止枡から成り、この枡に、道路施設内排水溝の底面と道路施設外排水溝の底面との間に段差を設けたことを特徴とするものである。
【００１９】
これにより、施設外の排水溝から侵入する各種動物は、前記動物侵入防止枡内に侵入することができるが、前記段差の存在により、この段差を乗り越えて施設内の排水溝内へと侵入することができないこととなる。
また、従来技術にあるような回動式の遮蔽用スクリーンによる枯葉やゴミ等の引っ掛かりの心配も全く生じず、排水溝が詰まってしまう問題も生じないものと成る。
【００２０】
本発明の第２のものにおいても上記第１の発明と同様の効果を発揮するものであるが、この第２の発明は、道路施設の内と外の境界部が平地にある場合を想定したものである。
即ち、道路施設の内と外の境界を成す侵入防止柵と交差する排水溝の部分に配置される動物侵入防止枡から成り、この枡の底面を道路施設内外の排水溝の底面よりも低いものとし、且つ前記侵入防止枡の底面と道路施設内外の排水溝の底面との高さの相違を大きくして段差を形成し、この枡内に侵入した動物がこの段差を乗り越えることができないようにしたことを特徴とするものである。
【００２１】
この発明では、施設内の排水溝と施設外の排水溝の底面が略同一平面となるために（勿論異なっていてもよい）、前記第１の発明のような段差を設けることができないが、動物侵入防止枡の底面を道路施設内外の排水溝の底面よりも低くしているために、排水が貯留しているときには、動物は施設外の排水溝から施設内の排水溝へと渡ることができないことなる（泳げる動物は別として）。
他方、枡内に排水が貯留していないときであっても、この枡の底面は、施設内外の排水溝の底面よりも相当程度低く設定しているために、枡内に侵入（落下）した動物が枡内から施設内排水溝へと乗り越えることが出来なくなるのである。
【００２２】
本発明の第３のものにおいても、上記第１及び第２の発明と同じ効果を発揮するものであるが、この第３の発明にあっては、道路施設内外の境界部が切土部の傾斜面に位置する場合を想定したものである。
即ち、動物侵入防止枡に、道路施設内排水溝の底面と道路施設外排水溝の底面との間に段差を設け、且つ、この枡の前記流入口部と前記排出口部の間にグレーチング等の溝蓋、つまり通水機能を有する溝蓋を設けたものである。
【００２３】
これにより、道路施設が傾斜面の上方側あるときには、道路施設外の排水溝から枡内に動物が侵入しても、その上方に位置する前記溝蓋の存在により施設内排水溝へと侵入することができない。
また、道路施設が傾斜面の下方側にあるときにも、道路施設外の排水溝から排水用枡内に動物が侵入しても、その下方に位置する溝蓋の存在により施設内排水溝へと侵入することができなくなるのである。
【００２４】
本発明の第４のものは、上記第３の発明において溝蓋を設置する高さ位置を限定したものであり、その効果は、上記第３の発明と同じである。
【００２５】
本発明の第５のものにおいては、上記第１乃至第４のそれぞれの発明において、上記の動物侵入防止枡が侵入防止柵の下方位置に設置された場合に、前記侵入防止柵の下方部及び道路施設の外側に位置する前記動物侵入防止枡の上方部を閉鎖状態としたものである。
これにより、侵入防止柵と動物侵入防止枡との間の隙間を無くし、及び、侵入防止柵の道路施設の外側に位置する動物侵入防止枡の上方部を閉鎖することにより、この部分からの動物の侵入を防止することができるのである。
【００２６】
本発明の第６のものにおいては、高速道路等の道路施設内に各種動物が侵入することを防止するための方法に関するものであって、道路施設の内と外の境界を成す侵入防止柵と交差する排水溝において、侵入防止柵の近傍の排水溝底面の適宜位置に所定高さの段差を設け、この段差を各種動物が乗り越えることができないようにしたものである。
即ち、上記第１乃至第５の発明のような動物の侵入を防止するための枡を特別に使用せずに、道路施設内外の境界部分の排水溝の部位に所定高さの段差を設けて動物がこの段差を乗り越えることができないようにした動物侵入防止方法を提供するものである。
【図面の簡単な説明】
【００２７】
【図１】道路が盛土部上に設置された場合であって、道路施設内側の傾斜面と施設外側の平地面との境界部に設けられる本発明の動物侵入防止構造を説明するものであって、その（Ａ）が従来の排水設備を示し、その（Ｂ）が本発明に係る第１実施形態を示す縦断面概念説明図である。
【図２】道路施設内外の境界部が略平地面にある場合を示しており、その（Ａ）が従来の排水設備を示し、その（Ｂ）が本発明に係る第２実施形態を示す縦断面概念説明図である。
【図３】道路施設内外の境界が切土部の傾斜面にある場合を示しており、その（Ａ）が従来の排水設備を示し、その（Ｂ）が本発明に係る第３実施形態を示す縦断面概念説明図である。
【図４】図３で図示したものと同一構成のものであって、道路施設が図３と逆側に設けられている場合を示したものであり、その（Ａ）が従来の排水設備を、その（Ｂ）が本発明の第３実施形態を示す縦断面概念図である。
【発明を実施するための形態】
【００２８】
以下、添付の図面と共に本発明の実施形態について説明する。
図１は、道路が盛土部上に設置された場合であって、道路施設内側の傾斜面と施設外側の平地面との境界部に設けられる本発明の動物侵入防止構造を説明するものであって、その（Ａ）が従来の排水設備を示し、その（Ｂ）が本発明に係る第１実施形態を示す縦断面概念説明図である。
【００２９】
図１（Ａ）に示した従来の排水設備においては、道路施設内側Ｉと道路施設外側Ｏとの境界線Ｋの位置に侵入防止柵（以下「フェンス」という。）Ｆが設置されている。
図中右側の道路施設内側Ｉの傾斜面の上部に道路が設置されており、雨水等の排水は、施設内排水溝４０からフェンスＦの下方を通過して、道路施設外側Ｏに配設されている施設外排水溝４２へと排水される。図中、排水の流れ方向を白抜き矢印で示している（以下の図においても同じである。）。
【００３０】
施設内排水溝４０の上端開口には特に蓋等を設けていない。
そのため、各種動物は、フェンスＦの図中左側の施設外排水溝４２の上端開口からフェンスＦの下を潜り抜けて、施設内排水溝４０に侵入して道路施設内側Ｉに侵入することができる。
或いは、施設外排水溝４２の内部に侵入した動物は、その排水溝４２から施設内排水溝４０へと侵入することもでき、これによっても道路施設内側Ｉに侵入することができる。図中、動物の侵入経路を実線矢印で示している（以下の図においても同じである。）。
このようにして、道路施設内側Ｉに侵入した各種動物は、道路上に立ち入ることができることとなり、種々の問題を引き起こすのである。
【００３１】
そこで、本発明の第１実施形態を図１（Ｂ）に図示しているが、この実施形態に係る動物侵入防止枡１０（以下、単に「枡」又は「侵入防止枡」という場合もある。）は、道路施設内外の境界線Ｋに設けられたフェンスＦの下方に、排水用の排出口部１２を有し、これと反対の上流側の上方部には排水を導入できる流入口部１１を有する横断面略Ｕ字形状のコンクリート製のものから形成されている。
図中、これらの流入口部１１及び排出口部１２を破線で示しているが、この部位は開口されている。
【００３２】
この第１実施形態に係る動物侵入防止枡１０の上端は開口しているが、この枡１０の上端を閉鎖したものとして流入口部１１及び排出口部１２を除いて閉空間のボックス形状のものとして形成してもよい。
そして、最も重要な点が流入口部１１が設けられた壁面１５が所定高さをもって、略鉛直に形成されている点である。この実施形態ではその高さｈは約１０００ｍｍである。
尚、この動物侵入防止枡１０の排水流路の横幅は、約３００ｍｍである。
【００３３】
この動物侵入防止枡１０の上流側の流入口部１１は道路施設内排水溝４０と接続し、下流側の排出口部１２は、道路施設外排水溝４２に接続している。
従って、この枡１０の排水流路（白抜き矢印）において前記壁面１５が略鉛直面を形成し、施設内排水溝４０の底面と施設外排水溝４２の底面とが異なる高さ位置となり、その間には上記した通りの約１ｍの段差が形成されることに成るのである。
【００３４】
それ故、施設外排水溝４２から侵入した各種動物は、動物侵入防止枡１０内に侵入できても、壁面１５からなる段差が約１ｍ程設けられているために、この壁面１５を乗り越えることが不能となって道路施設内に侵入して問題を引き起こす恐れが無くなる。
【００３５】
尚、この実施形態では、更に動物侵入防止枡１０の排出口部１２側端部からその流入口部１１側に向かってコンクリート製の蓋部１７を数枚載置してその開口を閉鎖している。
勿論、蓋部１７とフェンスＦの下端の隙間も無くしているために、各種動物はこの隙間から道路施設外側Ｏから施設内側Ｉに侵入することが出来ない。
【００３６】
図２は、道路施設内外の境界部が略平地面にある場合を示しており、その（Ａ）が従来の排水設備を示し、その（Ｂ）が本発明に係る第２実施形態を示す縦断面概念説明図である。
図２（Ａ）に従来の排水設備を示しているが、フェンスＦの下方交差する方向に施設内排水溝４０と施設外排水溝４２とが直接接続しているために、各種の動物は、後者から前者の施設内排水溝４０へと容易に侵入することができる。
【００３７】
そこで、本発明の第２実施形態を図２（Ｂ）に図示しているが、この実施形態に係る動物侵入防止枡２０は、道路施設内外の境界線Ｋに設けられたフェンスＦの下方に、排水用の排出口部１２を有し、これと反対の上流側には排水を導入できる流入口部１１を有する横断面略Ｕ字形状のコンクリート製の直方体形状のものから成る。
図中、これらの流入口部１１及び排出口部１２を破線で示しているが、この部位は開口されている。
【００３８】
この第２実施形態に係る動物侵入防止枡２０の上端も開口しているが、この枡２０の上端を閉鎖したものとして流入口部１１及び排出口部１２を除いて閉空間のボックス形状のものとしてもよい。
そして、最も重要な点が流入口部１１が設けられた壁面１５と、排出口部１２が設けられている壁面１６が所定高さをもって、略鉛直に形成されている点である。即ち、この動物侵入防止枡２０の底面が施設内外の排水溝４０、４２の底面よりも低い位置にあるという点である。
尚、この動物侵入防止枡２０の排水路の横幅も、前記第１実施形態と同様である。
【００３９】
この動物侵入防止枡２０の上流側の流入口部１１は道路施設内排水溝４０と接続し、下流側の排出口部１２は、道路施設外排水溝４２に接続している。
従って、この枡２０の排水流路（白抜き矢印）において前記壁面１５、１６が略鉛直面を形成し、施設内排水溝４０の底面と施設外排水溝４２の底面とが同一高さ位置であるが、その間の動物侵入防止枡２０の底面は、前記排水溝４０、４２の底面よりも所定高さ分低く形成されているために、この枡２０内に水が貯留していないときには、枡２０内に侵入した動物が道路施設内排水溝４０に上がれないことに成るのである。
勿論、水が貯留している際には、泳げる動物は、施設内排水溝４０内に侵入可能ではあるが、次の仕切り部材により、これを防止することができる。
【００４０】
即ち、この実施形態では更に、仕切り部材１４を施設内排水溝４０及び施設外排水溝４２の底面と略同一高さ位置に設けているのである。
そして、この仕切り部材１４の上面には、図には明瞭に示していないが、針状突起を多数形成したものから成るのである。
尚、言うまでもないが、この仕切り部材１４は、流体が容易に通過できる形態を有する金属製又は合成樹脂製のものである。つまり、簀子状又は格子状等の穴部が多数形成されているものである。
【００４１】
これにより、この第２実施形態に係る動物侵入防止枡２０内に進入しようとする動物は、その内部に水が貯留していて、その動物が仮に泳げる動物であっても、この仕切り部材１４の上面を歩いて渡ることができず、道路施設内に侵入することができないこととなるのである。
勿論、この仕切り部材を設けずに実施することも可能である。
【００４２】
尚、この第２実施形態においても、動物侵入防止枡２０の上端が開口しているために、蓋部１７を複数枚載置している点は、前記第１実施形態と同様である。
但し、前記仕切り部材１４が設けられているために、この蓋部１７は、最低フェンスＦの下に１枚設けておけば問題は生じない。
【００４３】
図３は、道路施設内外の境界が切土部の傾斜面にある場合を示しており、その（Ａ）が従来の排水設備を示し、その（Ｂ）が本発明に係る第３実施形態を示す縦断面概念説明図である。
図３（Ａ）に示した従来の排水設備においては、道路施設内側Ｉと道路施設外側Ｏとの境界線Ｋの位置にフェンスＦが設置されており、図中左側の道路設備内側Ｉの傾斜面の下部に道路が設置されている。
雨水等の排水は、施設外排水溝４２からフェンスＦの下方を通過して、道路施設内側Ｉに配設されている施設内排水溝４０へと排水される（白抜き矢印）。
【００４４】
施設内排水溝４０の上端部には特に蓋等を設けていない。
各種動物は、フェンスＦの図中右側の施設外排水溝４２の上端開口からフェンスＦの下を潜り抜けて、施設内排水溝４０に侵入して道路施設内側Ｉに侵入することができる（実線矢印）。
このようにして、道路施設内側Ｉに侵入した各種動物は、道路上に立ち入ることができることとなり、種々の問題を引き起こすのである。
【００４５】
そこで、本発明の第３実施形態を図３（Ｂ）に図示しているが、この実施形態に係る動物侵入防止枡３０は、道路施設内外の境界線Ｋに設けられたフェンスＦに隣接して道路施設内側Ｉに設置されている。勿論、フェンスＦの真下又は道路施設外側Ｏに設置することもできる。
この動物侵入防止枡３０は、排水用の排出口部１２を下流側壁面の下方に有し、これと反対の上流側の上方部には排水を導入できる流入口部１１を有する横断面略Ｕ字形状のコンクリート製のものから形成されている。
図中、これらの流入口部１１及び排出口部１２を破線で示しているが、この部分は開口されている。
【００４６】
この第３実施形態に係る動物侵入防止枡３０の上端は開口しているが、この枡３０の上端を閉鎖したものとして流入口部１１及び排出口部１２を除いて閉空間のボックス形状のものとしてもよい。
そして、重要な点は、施設外排水溝４２の底面と、施設内配水溝４０の底面の高さ位置を異ならせるように、即ち、この実施形態においては、施設内排水溝４０の底面の方を低い位置となるように、前記動物侵入防止枡３０の下流側の壁面１６及び上流側壁面１５の高さを適宜高く、略鉛直に設けるのである。
尚、この動物侵入防止枡３０の排水流路の横幅は、上記実施形態と同様である。
【００４７】
この動物侵入防止枡３０の上流側の流入口部１１は道路施設外排水溝４２と接続し、下流側の排出口部１２は、道路施設内排水溝４０に接続している。
従って、この枡３０の排水流路（白抜き矢印）において前記壁面１５が略鉛直面を形成し、施設内排水溝４０の底面と施設外排水溝４２の底面とが異なる高さ位置となり、その間には上記壁面１５が段差として形成されることに成るのである。
【００４８】
そして、本第３実施形態では、動物侵入防止枡３０の適宜中間高さ位置に金属製のグレーチング３４を配設している。このグレーチング３４は、格子状のもので、排水を適切に流通させることができるものである。このグレーチング３４が溝蓋となり、各種動物がこの溝蓋を通過することができないものである。
【００４９】
この第３実施形態においては、この溝蓋としてのグレーチング３４は、施設外排水溝４２の底面と同じ平面上に配設している。
従って、施設外排水溝４２内に侵入した各種動物は、本発明に係る動物侵入防止枡３０の内部にその流入口部１１から侵入することができるが、前記溝蓋の存在により、その下方に侵入することができず、それ故、施設内排水溝４０の内部へと侵入することができなくなるのである。
【００５０】
尚、この実施形態では、各種動物がフェンスＦと施設外排水溝４２との間から侵入することができないように、蓋部１７を設置している。
図では、枡３０の上端開口部に蓋部を設置しているが、これは無くとも問題はない。この枡３０は、道路施設内側Ｉに設けられているからである。
【００５１】
図４は、上記図３で図示したものと全く同一構成のものであって、道路施設が図３と逆側に設けられている場合を図示したものであり、その（Ａ）が従来の排水設備を、その（Ｂ）が本発明の第３実施形態を示す縦断面概念図である。
この実施形態は、上記図３に記載した第３実施形態と同じ構成であるが、道路施設が切土部傾斜面の上方側に位置する場合である。
【００５２】
従って、動物は、傾斜面の下方部から侵入することとなる。
つまり、道路施設外排水溝４２から各種動物は侵入することになり、動物侵入防止枡３０の排出口部１２からこの枡３０内に侵入するが、その上方に設置されている溝蓋としてのグレーチング３４の存在により、これよりも上方に登ることができず、それ故、この枡３０の流入口部１１を通過して施設内排水溝４０へと侵入することは不能となる。
【００５３】
また、蓋部１７は、上記図３の場合と同様に施設内排水溝４０のフェンスＦとの間に設置されており、これら両者の隙間から動物が侵入できないようにしている。
また当然のことではあるが、グレーチング３４は、上方に開くことができないように螺子等の固定手段によって枡３０内に固定されている。
尚、この図４の場合においては、グレーチング３４は、枡３０の流入口部１１の壁面１５の高さを大きくすることにより、即ち、その段差を大きくすることにより、不要となるものである。
即ち、この枡３０の段差と、前記第１実施形態の枡１０の段差の技術的意味合いは同一のものとなるからである。
【００５４】
以上、動物侵入防止構造について３つの実施形態について説明したが、本発明においてはこの侵入防止構造の技術的思想を侵入防止方法として敷衍することができる。
つまり、上記の侵入防止枡を特に利用せずに、その侵入防止枡の基本アイディアを採用して以下の通り動物侵入防止方法として実現することができる。
【００５５】
即ち、その動物侵入防止方法は、道路施設の内と外の境界を成す侵入防止柵と交差する排水溝において、前記侵入防止柵の近傍の排水溝底面の適宜位置に所定高さの段差を設け、この段差を各種動物が乗り越えることができないようにすることによって実現できる。
排水溝の上端開口には蓋部を載置することが極めて望ましく、この段差は、侵入防止柵（フェンス）の真下、道路施設内側又は道路施設外側の何れの位置でもよい。
勿論、排水溝の上端開口を閉鎖した態様の排水溝を使用するのも自由である。
【００５６】
この方法を採用することにより、上記実施形態に係る動物侵入防止枡という別体の構造物を利用せずに、既存の排水溝の形態を変更することにより本方法発明を実施することができる。
しかし、この排水溝の形態変更というのも、道路設備建設時であれば容易であるが、現実的には既存の排水設備に本発明を適用する場合には、上記動物侵入防止枡を適宜位置に交換し、取り付けることが容易なこととなる。
何れにしても、上記動物侵入防止枡というのは、排水溝の一部でもあり、それ自体排水溝でもあるので、実質的には、排水溝底面の適宜位置に段差を設けるという方法に関する技術思想は、動物侵入防止構造と共通のものである。
【００５７】
以上、本発明の実施形態について説明したが、本発明においては以下の通り各種設計変更をすることができる。
先ず第一に、本発明は、先に述べたとおり道路施設ばかりでなく、全く同一構成で鉄道施設や各種プラント等の動物忌避施設内への動物侵入防止構造及び方法としてそのまま適用することができる。
【００５８】
枡の横断面形状は、上記実施形態では略Ｕ字形状として説明したが、この横断面形状は、上方開口のコ字形状であってもよく、或いは、断面台形形状や上方が広い台形形状であってもよく、排水が流通できる横断面形状であればよい。
更に、この枡においては、その上端が開口しておらず、流入口及び排水口以外を閉空間として実施することもできる。
【００５９】
また枡や蓋等の材料も、コンクリート製ばかりでなく、合成樹脂製や金属製等の各種のものを使用することができるものである。
同様に、そのサイズも自由であって、段差の高さも自由に設計することができるが、侵入する動物の種類を考慮し、その段差を動物が乗り越えることが出来ない高さに設定することが重要である。
枡や排水溝の上部に載置する蓋部も必要な箇所にのみ設ければよいが、これらの両者とも上方開口を閉鎖した形態のものを採用することもできる。
【００６０】
第２実施形態で用いた仕切り部材の上面に設けた針状突起の数や形態も自由に設計することができ、要は各種動物が歩いて渡ることができないような形態のものであれば、どのようなものでもよい。
勿論、この仕切り部材を第２実施形態の枡の底面部に設置して実施することもできるし、これを設けずに実施することも可能である。
【００６１】
第３実施形態に係る枡は、略ボックス形状を有するものであるが、中間部に溝蓋（グレーチング）を設けていることが特徴であるが、これは、排水路の上流側から動物が侵入することを防止するためのものであり、下流側から上流側に動物が侵入する設置状況にあっては、排水の流入口部の側に位置する壁面の高さを適宜高くして動物が乗り越えることの出来ない段差を形成すれば、溝蓋は不要となる。
この場合には、第１実施形態のものと技術的思想は同一のものとなるのである。
【００６２】
他方、本発明に係る動物侵入防止方法においては、前記実施形態に係る各種の枡の形態にかかわらず、排水溝の排水の流路中に段差があればよいので、前記枡に係る構造物の技術的思想を昇華したものと言えるのである。
【００６３】
以上、本発明においては、道路施設の内と外の境界にあるフェンスの下方を交差する排水溝の部分に各種態様の動物侵入防止枡を設置することにより各種動物の道路施設内への侵入を阻止することができ、また排水溝のフェンス近傍の排水流路に段差を設けるという動物侵入防止方法を提供し、道路施設内に各種動物が侵入することを防止し、これにより高速道路等の道路上での事故を未然に防止することができ、道路上の保安及び安全に著大な効果を発揮するものである。
【符号の説明】
【００６４】
１０、２０、３０  動物侵入防止枡
１１  流入口部
１２  排出口部
１４  仕切り部材
１５、１６  壁面
１７  蓋部
３４  グレーチング（溝蓋）
４０  施設内排水溝
４２  施設外排水溝
Ｆ  侵入防止柵（フェンス）
Ｋ  境界線
Ｉ  道路施設内側
Ｏ  道路施設外側
【図１】
0005999978.tif 000002
【図２】
0005999978.tif 000003
【図３】
0005999978.tif 000004
【図４】
0005999978.tif 000005